(57)【特許請求の範囲】
【請求項１】
底壁（１４）と、左右一対の側壁（１５）・（１５）と、後壁（１６）とを有するケース本体（１０）と、ケース本体（１０）に装着されて、ケース本体（１０）の上面開口を塞ぐ蓋体（１１）とでディスクカートリッジ（１）を収容する収納室（Ｒ）が区画してあり、ケース前面にディスクカートリッジ（１）の出入口（１２）が設けてあるブックケース型の収納ケースであって、
収納室（Ｒ）の内奥寄りの左右両側のうち、少なくともいずれか一方に、ケース内に収めたディスクカートリッジ（１）の抜け出しを防ぐロック体（１３）が設けられており、
ロック体（１３）は、ディスクカートリッジ（１）の凹部（６）に係合する弾性腕（２４）と、弾性腕（２４）を支持してケース本体（１０）の側壁（１５）に装着される支持脚（２５）とを有するプラスチック弾性体からなり、
ケース本体（１０）の後壁（１６）の左右の中央部に操作窓（２６）が形成されており、
ケース本体（１０）の後壁（１６）の内面に、ディスクカートリッジ（１）を出入口（１２）へ向かって移動操作して、凹部（６）とロック体（１３）との係合を解除するレバー（３０）が配置されており、
レバー（３０）の一端に、ディスクカートリッジ（１）を出入口（１２）へ向かって押し出し操作するための押圧部（３３）が設けられており、
レバー（３０）の他端が、ヒンジ部（３１）と、ケース本体（１０）の側壁（１５）に沿う腕部（３２）とを介して前記ロック体（１３）の支持脚（２５）に一体に連続しており、
レバー（３０）の押圧部（３３）は、前記操作窓（２６）にケース内方側から嵌り込んで、押圧部（３３）の外面の操作部（３４）が、ケース本体（１０）の後壁（１６）の外面に露出していることを特徴とするディスクカートリッジ用の収納ケース。  
【発明の詳細な説明】
【０００１】
【発明の属する技術分野】
薄い角箱状のカートリッジケース内に、光ディスクや光磁気ディスク等のディスク状の信号記録媒体を内蔵したディスクカートリッジがある。本発明は、この種のディスクカートリッジを収納保存するためのブックケース型の収納ケースに関する。
【０００２】
【従来の技術】
かかるディスクカートリッジのひとつにミニディスク（以下単にＭＤという）がある。ＭＤ用の収納ケースは薄い角箱状に形成してあり、ケース前側面に出入口を設けてブックケース状に構成してある。ケースの左右側壁の内奥寄りには一対のロック体が組み込んであり、ＭＤを収納ケースに差し込み装填すると、両ロック体がカートリッジケースの下面両側の位置決め凹部と係合して、ＭＤが収納ケースから滑落するのを防止できる。
【０００３】
【発明が解決しようとする課題】
上記の収納ケースは、ケース内に収めたＭＤをロック体で係合保持して、ＭＤが自重で滑り出すのを防いでいる。そのため、ＭＤを取り出す際には、収納ケースとＭＤとを左右の手でつかみ、両者を引き離すように抜き出し操作して、ロック体と凹部との係合を解除しなければならず、例えば自動車の車内でのＭＤの取り出し操作が煩わしい。
【０００４】
本発明者は、ＭＤの出し入れを容易化するために、ケース本体と蓋体とで収納ケースを構成し、蓋体をケース本体の上面開口に沿って後方にスライド操作することにより、ケース本体の上側を第２の出入口として開口できる収納ケースを先に提案している（特願平８−３０５６４５号）。そこでは、ＭＤをロック保持するロック体が蓋体側に設けてあるので、蓋体をスライド開閉すると、ロック体を凹部の係合と同時に解除でき、片手操作であってもＭＤを前方に取り出せる。
【０００５】
上記のように蓋体をケース本体に対してスライド開放する形態の収納ケースは、蓋体用のスライド構造とは別に、蓋体を閉じ位置に保持するロック構造が不可欠であり、さらにロック体の蓋体に対する取り付けが難しく、全体として収納ケースの構造が複雑になるのを避けられない。
【０００６】
本発明の目的は、収納状態においてロック体で係合保持されているディスクカートリッジを、収納ケースから容易に取り出すことができ、必要に応じてディスクカートリッジを片手操作のみで取り出せるようにすることにある。本発明の目的は、全体構造がいたずらに複雑化するのを避けながら、ディスクカートリッジを容易に取り出すことができ、従って製造に要するコストが少なくて済む収納ケースを得ることにある。
【０００７】
【課題を解決するための手段】
本発明は、図２に示すごとくケース本体１０と、ケース本体１０に装着した蓋体１１とでディスクカートリッジ１を収容する収納室Ｒが区画してあって、ケース前面にディスクカートリッジ１の出入口１２が設けてあるブックケース型の収納ケースを対象とする。かくして、図１に示すごとく収納室Ｒの内奥寄りの左右両側には、ディスクカートリッジ１の凹部６と係合して、ディスクカートリッジ１の抜け出しを防ぐロック体１３が設けてあり、収納室Ｒの内奥に、ディスクカートリッジ１を出入口１２へ向かって移動操作して、凹部６とロック体１３との係合を解除する取出具３０が設けられていることを特徴とする。
【０００８】
取出具は収納ケース側に前後揺動自在に支持したレバー３０で形成する。このレバー３０には、図３に示すごとくディスクカートリッジ１を出入口１２へ向かって押し出し操作する押圧部３３と、押圧部３３を待機位置から作動位置へ揺動操作する操作部３４とがそれぞれ設けてある。図３では操作部３４は押圧部３３の外面に形成されていて、収納ケースの外方に露出している。
【０００９】
ケース本体１０の後壁１６の内面に配置したレバー３０の一端に操作部３４を設ける。レバー３０の他端はヒンジ部３１とケース本体１０の側壁１５に沿う腕部３２とを介してロック体１３と一体に形成する。操作部３４は後壁１６に開口した操作窓２６を介してケース外面に露出している。
【００１０】
【作用】
例えばレバー構造の取出具、すなわちレバー３０はその一部が収納室Ｒ内へ突入する作動位置と、ディスクカートリッジ１の装填領域から退避する待機位置との間で変位でき、通常は待機位置に保持されている。この状態のレバー３０を作動位置に切り換え操作すると、ディスクカートリッジはレバー３０に押されて、ロック体１３を弾性変形させながら出入口１２側へ移動し、凹部６とロック体１３との係合が解除されるので、後は収納ケースの全体を傾斜させると、ディスクカートリッジ１を出入口１２から取り出せる。ディスクカートリッジ１を収納ケースに再装填すると、レバー３０はディスクカートリッジ１に押し戻されて待機位置に保持される。
【００１１】
レバー３０を切り換え操作して、ディスクカートリッジ１をロック体１３の弾性に抗して出入口１２側へ移動させるので、可動部品をレバー３０のみに限ることができ、蓋体１１の全体をスライド開閉する場合に比べて、ケース構造が複雑化するのを避けられる。
【００１２】
【実施例】
（実施例１）
図１ないし図４は、本発明をＭＤ（ディスクカートリッジ）用の収納ケースに適用した実施例を示す。図２においてＭＤ１は、光磁気ディスク２と、このディスク２を回転自在に収容する薄形角箱状のカートリッジケース３とからなる。カートリッジケース３の上下両面の一側には信号読み取り窓４が開口してあり、これをシャッター５でスライド開閉できる。カートリッジケース３は、上ハーフと下ハーフを蓋合わせ状に接合して構成してあり、下ハーフの左右両側にそれぞれ位置決め用の凹部６が半長円状に凹設されている。
【００１３】
収納ケースは、前面および上面が開口するケース本体１０と、ケース本体１０に装着されて上面側の開口を塞ぐ蓋体１１とからなり、両者１０・１１でＭＤ１を収容する収納室Ｒを区画している。ケース前面にはＭＤ１用の出入口１２が開口している。収納室Ｒの内奥寄りの左右両側に、ＭＤ１の凹部６を係合捕捉するロック体１３が配置されている。
【００１４】
ケース本体１０は、底壁１４と、左右一対の側壁１５と、後壁１６とを一体に形成したプラスチック成形品からなる。図３においてケース本体１０の両側壁１５は、縦断正面視で階段断面状に形成されていて、それぞれの突出基端内面の出入口１２側の開口端から奥端よりにわたって係合溝１７を形成する。この側壁１５には係合溝１７の奥端に隣接して前後一対の取付枠１８が設けてある（図２参照）。後壁１６の中央部には、操作窓２６を切り欠き形成し、その一側内面に門形の連結枠２７を一体に突設する。
【００１５】
蓋体１１は、ケース本体１０の上面開口を塞ぐ主面壁１９と、主面壁１９の下面両側に突設した一対の蓋側壁２０と、先の連結枠２７に対応して主面壁１９の下面後端に突設した蓋後壁２１とを一体に形成したプラスチック成形品からなり、透明ないし半透明のプラスチック材で形成する。両蓋側壁２０間の対向間隔は、ＭＤ１の左右幅寸法より僅かに大きく設定してあり、それぞれの下端外面に、先の係合溝１７に係合するリブ２２が横外向きに突設してある。このリブ２２を係合溝１７にスライド係合し、さらに蓋後壁２１を連結枠２７の内面に圧嵌係合することにより、蓋体１１はケース本体１０に分離不能に固定できる。
【００１６】
図２においてロック体１３は、部分円弧状の弾性腕２４を有し、これの前後にＬ字形の一対の支持脚２５を突設した弓形のプラスチック弾性体からなり、両支持脚２５をケース本体１０の取付枠１８に差し込み係合して、ケース本体１０に装着する。蓋体１１をケース本体１０に組み付けた状態においては、弾性腕２４が蓋側壁２０よりもケース内方へ突出するので、図４に示すようにＭＤ１を収納ケースに装填した状態では、弾性腕２４が凹部６にこれの外側方から落ち込み係合して、ＭＤ１の抜け出しを防止する。左右の蓋側壁２０の後端寄りの下側は切り欠いてあり、この切欠部２８が取付枠２６の上端面と近接対向して、ロック体１３の上方への抜け出しを阻止している。
【００１７】
収納室Ｒの内奥には、ロック体１３の係合力に抗してＭＤ１を出入口１２側へ押し出し操作するための取出具を設ける。その取出具は、図２に向かって右側のロック体１３と一体に成形する。
【００１８】
図１および図３に示すように取出具は、ケース本体１０に前後揺動自在に支持したレバー３０からなり、レバー３０の一端がヒンジ部３１と腕部３２とを介して、ロック体１３の支持脚２５と一体に連続している。レバー３０の上下幅は、ケース本体１０の底壁１４と蓋体１１の主面壁１９との上下間隔より僅かに小さく寸法設定してあり、ヒンジ部３１を中心にして前後揺動できる。レバー３０の揺動先端側の前面に、ＭＤ１を押し出し操作する押圧部３３を設け、押圧部３３の外面が操作部３４になっている。レバー３０およびロック体１３をケース本体１０に組付けた状態において、レバー３０は後壁１６の内面に位置しており、その押圧部３３が操作窓２６にケース内方側から嵌り込んで操作部３４がケース外方に露出して待機位置を維持している。
【００１９】
ＭＤ１を収納ケースに完全に収納した状態では、その左右の凹部６にロック体１３の弾性腕２４が嵌まり込んで、ＭＤ１がケース外に抜け出るのを防いでいる。このときレバー３０の押圧部３３は、ＭＤ１の装填始端側の端壁に接当し、あるいは近接対向している。ＭＤ１をケース外に取り出す場合には、通常は片手で収納ケースをつかみ、残る片手でＭＤ１をつかんで出入口１２から抜き出す。しかし、図１の想像線で示すようにレバー３０の操作部３４を介して押圧部３３をケース内方の作動位置へ押し込み、押圧部３３でＭＤ１を出入口１２へ向かって押し出すことにより、片手のみでもＭＤ１を取り出すことができる。具体的には、ＭＤ１を出入口１２の側へ押し出して、凹部６と弾性腕２４の係合を解除した後、出入口１２を傾斜下端にした状態で収納ケースを上下に揺ると、ＭＤ１は自重で滑り出る。なお、ＭＤ１を再装填すると、その装填始端側の端壁が押圧部３３に接当して、レバー３０を待機位置へ復帰揺動させる。
【００２３】
上記以外に本発明は、ＭＤ以外の光ディスクや磁気ディスクカートリッジを収納対象とする収納ケースにも同様に適用できる。ロック体１３は左右一対のうちいずれか一方が省略してあってもよい。
【００２４】
【発明の効果】
本発明では、収納室Ｒの内奥に例えばレバー構造の取出具（レバー３０）を設け、この取出具３０をケース内方へ移動操作することにより、ロック体１３とディスクカートリッジ１の凹部６との係合を解除して、ディスクカートリッジ１を収納ケースから取り出せるようにした。従って、取出具を作動位置に切り換え操作するだけの、極く簡単な操作でディスクカートリッジ１の取り出しを容易に行え、片手操作でもディスクカートリッジ１を簡単に取り出せる。蓋体１１の全体をスライド操作してロック体１３と凹部６の係合を解除する場合に比べて、動作部品を取出具のみに限ることができるうえ、ディスクカートリッジ１の再装填動作を利用して取出具を待機位置へ復帰させるので、全体として収納ケースの構造が複雑になるのを抑止でき、その分だけ収納ケースの製造コストを減少できる。レバー構造の取出具を一方のロック体１３と一体に形成すると、部品点数と組み立て工数の増加を避けることができ、さらに製造コストを減少できる。
【図面の簡単な説明】
【図１】要部の横断平面図である。
【図２】全体の内部構造を示す一部破断平面図である。
【図３】ケース本体と蓋体を分離した状態での要部の斜視図である。
【図４】図２におけるＡ−Ａ線断面図である。
【符号の説明】
１  ディスクカートリッジ（ＭＤ）
６  凹部
１０  ケース本体
１１  蓋体
１２  出入口
１３  ロック体
３０  レバー
３３  押圧部
３４  操作部
Ｒ  収納室
【図１】
0003755685.tif 000002
【図２】
0003755685.tif 000003
【図３】
0003755685.tif 000004
【図４】
0003755685.tif 000005